(57)【要約】【課題】  サージ保護装置の雷などのサージに対する保護機能の有無及び故障の有無を容易に判別可能にする。【解決手段】  サージ保護装置１２の正常及び異常表示に単一の表示素子１９を利用し、サージ電圧によるサージ吸収素子１５ａ〜１５ｆの短絡破壊で、これに対応する温度ヒューズ１７ａ〜１７ｃが溶断された時または定格以上の電流がサージ吸収素子１５ａ〜１５ｆのいずれかに流れて、これに対応する電流ヒューズ１６ａ〜１６ｃのいずれかが溶断された時に制御回路２０で表示素子１９を消灯制御してサージ保護装置１２が異常であることを表示し、また、サージ吸収素子１５ａ〜１５ｆ及び温度ヒューズや電流ヒューズの何れもが正常状態にある時は制御回路２０で表示素子１９を点灯制御してサージ保護装置１２の正常を表示する構成にした。【選択図】  図１
0003102126.tif 000002
【実用新案登録請求の範囲】
【請求項１】
分電盤、配電盤もしくは制御盤（以下分電盤等という）に給電する複数の電源線及びアース線に侵入する雷などのサージ電圧から電気機器を保護するサージ保護装置であって、
収納ケースと、前記収納ケース内に収納された配線基板を有し、
前記配線基板には前記各電源線のそれぞれに導体を介して別々に接続される複数の電源線接続端子と前記アース線に導体を介して接続されるアース端子が設けられ、
前記配線基板に実装され前記各電源線接続端子のそれぞれ接続される各ラインと前記アース端子との間にそれぞれ接続された複数の第１サージ素子と、前記配線基板に実装され前記各ラインの隣り合うライン間にそれぞれ接続された複数の第２サージ吸収素子と、前記各電源線接続端子と該電源線接続端子に対応する前記第１及び第２サージ吸収素子との間にそれぞれ直列に接続された電流ヒューズと温度ヒューズとの直列回路とを備え、
前記各直列回路の電流ヒューズは前記配線基板に実装され、前記各直列回路の温度ヒューズは該温度ヒューズの後段に接続される第１及び第２サージ素子の短絡破壊時の熱で溶断されるように該第１及び第２サージ素子に接して配置され、
前記第１及び第２サージ吸収素子の何れかが短絡破壊されて該サージ吸収素子に対応する温度ヒューズが溶断された時もしくは前記電流ヒューズの何れかに規定値以上の電流が流れることにより該電流ヒューズが溶断された時の異常状態と前記第１及び第２サージ吸収素子の正常状態を表示する表示手段を前記分電盤等の外面から目視できるように設け、
前記第１及び第２サージ吸収素子の正常状態または異常状態に応じて前記表示手段を点灯状態及び消灯状態に制御する制御回路を設けたことを特徴とするサージ保護装置。
【請求項２】
前記表示手段は１つの表示素子からなり、該表示素子を前記第１及び第２サージ吸収素子の正常時に前記制御回路により点灯し、前記第１及び第２サージ吸収素子の異常時に前記制御回路により消灯するように構成したことを特徴とする請求項１記載のサージ保護装置。
【請求項３】
前記第１及び第２サージ吸収素子は、バリスタ、放電管、直列ギャップ形アレスタもしくはガス封入形アレスタの何れかであることを特徴とする請求項１記載のサージ保護装置。
【請求項４】
前記制御回路は、前記各ラインの隣り合うライン間のそれぞれに前記電流ヒューズと温度ヒューズとの直列回路を介して接続され該ライン間に加わる交流を所望レベルの直流に変換する複数の整流回路と、前記各整流回路毎に設けられ該整流回路の直流出力でオンされる複数のスイッチング素子とを有し、前記各スイッチング素子は前記表示手段の回路に直列に接続され、この各スイッチング素子により前記表示手段を点灯または消灯制御するように構成したことを特徴とする請求項１または２記載のサージ保護装置。
【請求項５】
前記収納ケースは前記分電盤等の外面に設置され、前記収納ケースに前記表示手段の表示状態を目視可能にする表示窓を設けたことを特徴とする請求項１または２記載のサージ保護装置。
【請求項６】
前記収納ケースは前記分電盤等の内部に設置され、前記表示手段は前記分電盤等の箱体に設けた表示窓に臨ませて配置されていることを特徴とする請求項１または２記載のサージ保護装置。
【請求項７】
前記表示手段は前記第１及び第２サージ吸収素子の何れも正常であることを表示する第１表示素子と前記第１及び第２サージ吸収素子の何れかが短絡破壊などで異常であることを表示する、前記第１表示素子と異なる表示色の第２表示素子とからなり、前記制御回路は、前記各ラインの隣り合うライン間のそれぞれに前記電流ヒューズと温度ヒューズとの直列回路を介して接続され該ライン間に加わる交流を所望レベルの直流に変換する複数の整流回路と、前記各整流回路からの直流出力によって別々にオンされ互いに直列接続された複数のスイッチング素子と、前記スイッチング素子の直列回路に直列に接続され前記各スイッチング素子がオン状態にある時に前記第１表示素子を点灯状態に制御するとともに前記第２表示素子を消灯状態に制御し、かつ前記各スイッチング素子のいずれか１つがオフ状態にある時に前記第１表示素子を消灯状態に制御するとともに前記第２表示素子を点灯状態に制御する表示素子切替手段を備えることを特徴とする請求項１記載のサージ保護装置。
【請求項８】
前記収納ケースは前記分電盤等の外面に設置され、前記収納ケースに前記第１及び第２表示素子の表示状態を目視可能にする表示窓を設けたことを特徴とする請求項１または７記載のサージ保護装置。
【請求項９】
前記収納ケースは前記分電盤等の内部に設置され、前記第１及び第２表示素子は前記分電盤等の箱体に設けた表示窓に臨ませて配置されていることを特徴とする請求項１または７記載のサージ保護装置。
【考案の詳細な説明】
【技術分野】
【０００１】
本考案は、電源線、アース線を通して侵入する雷などのサージ電圧から電気機器を保護するサージ保護装置に関し、さらに詳しくは、雷などのサージ電圧に対する保護機能の有無を表示できるようにしたサージ保護装置に関するものである。
【背景技術】
【０００２】
電源線、アース線を通して侵入する雷などのサージ電圧から、単相又は三相交流用の電気機器を保護するサージ保護装置は、配電盤や分電盤内または電気機器の制御盤内に設置されもので、単相又は三相交流の各相に対応する数のセラミックバリスタ及び電流ヒューズと、各相に共通の放電管とを備え、上記各セラミックバリスタは、配電盤や分電盤の各相電源線に対応する電源端子とアース間にそれぞれの電流ヒューズを介して直列に接続され、放電管は各セラミックバリスタのアース端側に直列に接続されている。
【特許文献１】特開平１０−３２６７０２号公報
【０００３】
このようなサージ保護装置において、配電盤や分電盤の電源線またはアース線を通して進入する雷などのサージ電圧はセラミックバリスタを含むサージ保護装置で吸収され、配電盤や分電盤に接続された電子・電気機器をサージ電圧から保護することができる。
また、セラミックバリスタがサージ電圧で損傷し短絡破壊されると、このセラミックバリスタに直列に接続された電流ヒューズが短絡電流により溶断され、サージ保護装置を電源線から切り離す。この場合、表示ランプを設けておき、点灯中の表示ランプが電流ヒューズの溶断により消灯されることでサージ保護装置の故障を表示するように構成されている。
【考案の開示】
【考案が解決しようとする課題】
【０００４】
しかし、このような従来のサージ保護装置は、配電盤や分電盤内または制御盤内に装着されるものであるため、このサージ保護装置がサージ電圧に対して正常に機能するものか否かは、分電盤等の蓋を開けて表示ランプが点灯または消灯しているか否かを確認しない限り判断することができない。その結果、サージ保護装置にサージ電圧に対する保護機能がなくなっているにもかかわらず、これを看過してしまうおそれがある。
【０００５】
このような場合、電源線、アース線を通してサージ電圧が侵入すると、このサージ電圧によって電子または電気機器が破壊されるおそれがある。また、電子または電気機器が破壊されないように落雷に備え、雷の発生時に前もって電子または電気機器への電路を開閉器等により遮断することも考えられる。
しかし、このような方式は電子または電気機器の稼動を停止させるものであるため、生産に多大な影響を与えてしまう不具合がある。
また、従来におけるサージ保護装置の正常及び故障を表示するためには、電源線の相数に対応した数の表示ランプが必要になり、その結果、１個の表示ランプのみでは各電源線またはアース線を通して侵入したサージ電圧によるサージ保護装置の異常を確認することができない。しかも、従来の表示ランプはその点灯または消灯でサージ保護装置の正常または異常を表示するものであるため、表示ランプが消灯している場合、この消灯状態がサージ保護装置の故障によるものか、表示ランプの断線または故障によるものか否かを判断できないという問題がある。
【０００６】
本考案は、上記のような従来の不具合を解決するためになされたもので、雷などのサージに対する保護機能の有無を単一の表示手段で容易に判別できるようにするとともに正常及び異常の有無を外部から容易に判断できるようにしたサージ保護装置を提供することを目的とする。
【課題を解決するための手段】
【０００７】
上記目的を達成するために本考案は、分電盤、配電盤もしくは制御盤（以下分電盤等という）に給電する複数の電源線及びアース線に侵入する雷などのサージ電圧から電気機器を保護するサージ保護装置であって、収納ケースと、前記収納ケース内に収納された配線基板を有し、前記配線基板には前記各電源線のそれぞれに導体を介して別々に接続される複数の電源線接続端子と前記アース線に導体を介して接続されるアース端子が設けられ、前記配線基板に実装され前記各電源線接続端子のそれぞれ接続される各ラインと前記アース端子との間にそれぞれ接続された複数の第１サージ素子と、前記配線基板に実装され前記各ラインの隣り合うライン間にそれぞれ接続された複数の第２サージ吸収素子と、前記各電源線接続端子と該電源線接続端子に対応する前記第１及び第２サージ吸収素子との間にそれぞれ直列に接続された電流ヒューズと温度ヒューズとの直列回路とを備え、前記各直列回路の電流ヒューズは前記配線基板に実装され、前記各直列回路の温度ヒューズは該温度ヒューズの後段に接続される第１及び第２サージ素子の短絡破壊時の熱で溶断されるように該第１及び第２サージ素子に接して配置され、前記第１及び第２サージ吸収素子の何れかが短絡破壊されて該サージ吸収素子に対応する温度ヒューズが溶断された時もしくは前記前記電流ヒューズの何れかに規定値以上の電流が流れることにより該電流ヒューズが溶断された時の異常状態と前記第１及び第２サージ吸収素子の正常状態を表示する表示手段を前記分電盤等の外面から目視できるように設け、前記第１及び第２サージ吸収素子の正常状態または異常状態に応じて前記表示手段を点灯状態及び消灯状態に制御する制御回路を設けたことを特徴とする。
【考案の効果】
【０００８】
本考案にかかるサージ保護装置においては、電源線とアース線間に雷などのサージ電圧が侵入すると、このサージ電圧は第１サージ吸収素子により吸収され、分電盤等に接続された電気機器をサージ電圧から保護する。また、電源線間に雷などのサージ電圧が侵入すると、このサージ電圧は第２サージ吸収素子により吸収され、分電盤等に接続された電気機器をサージ電圧から保護する。
そして、第１及び第２サージ吸収素子の何れかが短絡破壊されることにより該第１及び第２サージ吸収素子に対応する温度ヒューズが溶断された時もしくは電流ヒューズの何れかに規定値以上の電流が流れることにより該電流ヒューズの溶断された時に制御回路により表示手段が消灯もしくは点灯して、第１及び第２サージ吸収素子の何れかが短絡破壊による異常もしくは電流ヒューズの何れかに規定値以上の電流が流れて該電流ヒューズの溶断による異常が生じていることを分電盤等の外面から目視できるように表示する。また、第１及び第２サージ吸収素子の何れも正常状態である時は制御回路により表示手段が上記異常時と異なる色で点灯され、サージ保護装置が保護機能を発揮できる正常状態にあることを分電盤等の外面から目視できるように表示する。
これにより、サージ保護装置の雷などのサージに対する保護機能の有無を単一の表示手段で容易に判別できるようにするとともに正常及び異常の有無を外部から容易に判断できる。
【考案を実施するための最良の形態】
【０００９】
本実施例における最良の形態では、サージ吸収素子が短絡破壊されることにより、これに対応する温度ヒューズが溶断された時に制御回路で表示素子を消灯制御して、サージ保護装置にサージ吸収素子の短絡破壊による異常が生じていることを分電盤等の外面から目視できるように表示し、そして、サージ吸収素子の何れもが短絡破壊のない正常状態にある時は制御回路で表示素子を点灯制御して、サージ保護装置が保護機能を発揮できる正常状態にあることを分電盤等の外面から目視できるように表示する。これにより、サージ保護装置の雷などのサージに対する保護機能の有無を単一の表示手段で容易に判別できるようにするとともに正常及び異常の有無を外部から容易に判断できる。
【実施例１】
【００１０】
次に、本考案の実施例について、図１〜図３を参照して説明する。
図１は本考案にかかるサージ保護装置を三相三線式配線路に適用した場合の一例を示す回路図、図２は本考案にかかるサージ保護装置の一部を分解して示す斜視図、図３は本考案にかかるサージ保護装置を分電盤の外面に装着した場合の一例を示す斜視図である。
【００１１】
図１〜図３において、１０は三相三線式の分電盤であり、この分電盤１０には三相用の電源線１１ａ〜１１ｃが引き込まれ、この電源線１１ａ〜１１ｃには、分電盤１０の箱体１０１内に装着された主開閉器９及び図示省略の漏電ブレーカ、分岐ブレーカが接続されている。また、分電盤１０にはアース線１１ｄが接続されている。
【００１２】
また、図１〜図３において、１２は電源線１１ａ〜１１ｃまたはアース線１１ｄに侵入する雷などのサージ電圧から電気機器を保護するサージ保護装置であり、このサージ保護装置１２は、図３に示すように、分電盤１０の箱体１０１の外面に装着されている。
前記サージ保護装置１２は、図２に示すように、厚さ方向に二分割可能な下カバー１２１ａと上カバー１２１ｂからなる直方体形状の収納ケース１２１と、この収納ケース１２１内に収納された矩形状の配線基板１２２を有している。
前記配線基板１２２の一端縁部には、図２に示すように、各電源線１１ａ〜１１ｃ及びアース線１１ｄに四芯ケーブル１３の各芯線導体１３ａ〜１３ｄを介して別々に接続される複数の電源線接続端子１４ａ〜１４ｃとアース端子１４ｄがそれぞれ設けられている。
【００１３】
図１及び図２において、１５ａ〜１５ｆは配線基板１２２に実装されたサージ吸収素子であり、このサージ吸収素子１５ａ〜１５ｆのうち、サージ吸収素子１５ａと１５ｄと１５ｆ、及びサージ吸収素子１５ｂと１５ｅはそれぞれ互いに接近する状態に配置され、そして、サージ吸収素子１５ｃ（請求項の第２サージ吸収素子に相当する）は単独で配置されている。
また、１６ａ〜１６ｃは電源線１１ａ〜１１ｃの数に対応して配線基板１２２に実装された電流ヒューズであり、この電流ヒューズ１６ａ〜１６ｃのうち、電流ヒューズ１６ａはサージ吸収素子１５ａ、１５ｄまたは１５ｆの何れかに規定値以上の電流が流れた時に溶断されるものであり、電流ヒューズ１６ｂはサージ吸収素子１５ｂまたは１５ｅの何れかに規定値以上の電流が流れた時に溶断されるものであり、電流ヒューズ１６ｃはサージ吸収素子１５ｃに規定値以上の電流が流れた時に溶断されるものである。
また、１７ａ〜１７ｃは電源線１１ａ〜１１ｃの数に対応して配線基板１２２に実装された温度ヒューズであり、この温度ヒューズ１７ａ〜１７ｃのうち、温度ヒューズ１７ａは前記サージ吸収素子１５ａ、１５ｄまたは１５ｆの短絡破壊時の熱で溶断されるようにサージ吸収素子１５ａ、１５ｄ及び１５ｆと接触し、温度ヒューズ１７ｂは前記サージ吸収素子１５ｂまたは１５ｅの短絡破壊時の熱で溶断されるようにサージ吸収素子１５ｂ及び１５ｅと接触し、温度ヒューズ１７ｃは前記サージ吸収素子１５ｃの短絡破壊時の熱で溶断されるようにサージ吸収素子１５ｃと接触している。
【００１４】
前記電流ヒューズ１６ａと温度ヒューズ１７ａとの直列回路は、電源線接続端子１４ａに接続された電源ライン１８ａに直列に接続され、さらに前記サージ吸収素子１５ａは、電流ヒューズ１６ａと温度ヒューズ１７ａとの直列回路の後段における電源ライン１８ａとアース端子１４ｄとの間に接続されている。
また、前記電流ヒューズ１６ｂと温度ヒューズ１７ｂとの直列回路は、電源線接続端子１４ｂに接続された電源ライン１８ｂに直列に接続され、さらに前記サージ吸収素子１５ｂは、電流ヒューズ１６ｂと温度ヒューズ１７ｂとの直列回路の後段における電源ライン１８ｂとアース端子１４ｄとの間に接続されている。
また、前記電流ヒューズ１６ｃと温度ヒューズ１７ｃとの直列回路は、電源線接続端子１４ｃに接続された電源ライン１８ｃに直列に接続され、さらに前記サージ吸収素子１５ｃは、電流ヒューズ１６ｃと温度ヒューズ１７ｃとの直列回路の後段における電源ライン１８ｃとアース端子１４ｄとの間に接続されている。
【００１５】
前記サージ吸収素子１５ｄは、電流ヒューズ１６ａと温度ヒューズ１７ａとの直列回路の後段における電源ライン１８ａと電流ヒューズ１６ｂと温度ヒューズ１７ｂとの直列回路の後段における電源ライン１８ｂとの間に接続されている。
また、前記サージ吸収素子１５ｅは、電流ヒューズ１６ｂと温度ヒューズ１７ｂとの直列回路の後段における電源ライン１８ｂと電流ヒューズ１６ｃと温度ヒューズ１７ｃとの直列回路の後段における電源ライン１８ｃとの間に接続されている。
また、前記サージ吸収素子１５ｆは、電流ヒューズ１６ａと温度ヒューズ１７ａとの直列回路の後段における電源ライン１８ａと電流ヒューズ１６ｃと温度ヒューズ１７ｃとの直列回路の後段における電源ライン１８ｃとの間に接続されている。
【００１６】
図１及び図２において、１９は発光ダイオードやネオン管等からなる表示素子であり、この表示素子１９は、前記サージ吸収素子１５ａ〜１５ｆの何れかが短絡破壊されることにより、このサージ吸収素子に対応する温度ヒューズ（１７ａ〜１７ｃのいずれか）が溶断された時、もしくは前記第１及び第２サージ吸収素子１５ａ〜１５ｆの何れかに規定値以上の電流が流れることにより、このサージ吸収素子に対応する電流ヒューズ（１６ａ〜１６ｃのいずれか）が溶断された時の異常状態と前記第１及び第２サージ吸収素子１５ａ〜１５ｆの正常状態を表示するものである。また、２０は前記表示素子１９を点灯及び消灯制御する制御回路である。
【００１７】
前記制御回路２０は、図１に示すように、前記電流ヒューズ１６ａと温度ヒューズ１７ａとの直列回路の後段における電源ライン１８ａと電流ヒューズ１６ｂと温度ヒューズ１７ｂとの直列回路の後段における電源ライン１８ｂとの間に異常電圧抑制用の抵抗Ｒ１とコンデンサＣ１との並列回路を介して接続された、電源ライン１８ａと１８ｂとの間に加わる交流を所望レベルの直流に変換する第１整流回路２０１と、この第１整流回路２０１の出力端にバイアス抵抗Ｒ４を介して接続され第１整流回路２０１の直流出力でオンされる第１スイッチング素子２０２と、前記電流ヒューズ１６ｂと温度ヒューズ１７ｂとの直列回路の後段における電源ライン１８ｂと電流ヒューズ１６ｃと温度ヒューズ１７ｃとの直列回路の後段における電源ライン１８ｃとの間に異常電圧抑制用の抵抗Ｒ２とコンデンサＣ２との並列回路を介して接続された、電源ライン１８ｂと１８ｃとの間に加わる交流を所望レベルの直流に変換する第２整流回路２０３と、この第２整流回路２０３の出力端にバイアス抵抗Ｒ５を介して接続され第２整流回路２０３の直流出力でオンされる第２スイッチング素子２０４と、前記電流ヒューズ１６ａと温度ヒューズ１７ａとの直列回路の後段における電源ライン１８ａと電流ヒューズ１６ｃと温度ヒューズ１７ｃとの直列回路の後段における電源ライン１８ｃとの間に異常電圧抑制用の抵抗Ｒ３とコンデンサ３との並列回路を介して接続された、電源ライン１８ａと１８ｃとの間に加わる交流を所望レベルの直流に変換する第３整流回路２０５と、この第３整流回路２０５の出力端にバイアス抵抗Ｒ６を介して接続され第３整流回路２０５の直流出力でオンされる第３スイッチング素子２０６とから構成されている。
前記第１〜第３のスイッチング素子２０２，２０４，２０６は互いに直列に接続され、この直列回路は前記表示素子１９の電源回路に直列に接続されている。また、Ｒ７は表示素子１９の電源回路に直列に接続した電流制限抵抗である。
【００１８】
また、表示素子１９と相対向する収納ケース１２１の上カバー１２１ａの個所には、図２及び図３に示すように、表示素子１９の点灯または消灯状態を目視できるようにした表示窓１２４が設けられている。
【００１９】
次に、上記のように構成された本実施例の動作について説明する。
図１に示す回路において、電源線１１ａに雷などのサージ電圧が侵入すると、このサージエネルギーは、サージ保護装置１２のサージ吸収素子１５ａ、１５ｄまたは１５ｆのいずれかにより吸収される。これにより、分電盤１０に接続された電子または電気機器をサージ電圧から保護することができる。
ここで、サージ吸収素子１５ａ、１５ｄまたは１５ｆに異常がなく正常に機能する場合は、これに対応する電流ヒューズ１６ａ〜１６及び温度ヒューズ１７ａ〜１７ｃは溶断されていないので、制御回路２０の各整流回路２０１，２０３，２０５から、これに対応するそれぞれのスイッチング素子２０２，２０４，２０６のベースにはバイアス電圧が供給され、これらスイッチング素子２０２，２０４，２０６はオン状態に保持される。このため、表示素子１９への通電は継続され、表示素子１９は点灯される。この状態を収納ケース１２１の表示窓１２４から見ることにより、サージ保護装置１２が保護機能の発揮できる正常状態にあることを確認できる。
【００２０】
上記電源線１１ａへのサージ電圧の侵入時に動作するサージ吸収素子１５ａ、１５ｄまたは１５ｆ、例えばサージ吸収素子１５ａがそのエネルギー耐圧を越えるサージエネルギーを吸収すると、これを吸収したサージ吸収素子１５ａは規定値以上の温度に上昇されるため、このサージ吸収素子１５ａが短絡破壊され、高い熱を発生する。その結果、このサージ吸収素子１５ａと接触状態にある温度ヒューズ１７ａが溶断され、電源ライン１８ａを開路する。これに伴い、整流回路２０１，２０５の出力がゼロになってスイッチング素子２０２，２０６がオフされるため、表示素子１９は消灯する。したがって、表示素子１９が消灯していることを収納ケース１２１の表示窓１２４から見ることにより、サージ保護装置１２が保護機能の発揮できない異常状態にあることを確認できる。
また、上記電源線１１ａへのサージ電圧の侵入時に動作するサージ吸収素子１５ａ、１５ｄまたは１５ｆ、例えばサージ吸収素子１５ａの電極間に電流ヒューズ１６ａの定格値以上の電流が流れると、電流ヒューズ１６ａが溶断され、電源ライン１８ａを開路する。これに伴い、整流回路２０１，２０５の出力がゼロになってスイッチング素子２０２，２０６がオフされるため、表示素子１９は消灯する。したがって、表示素子１９が消灯していることを収納ケース１２１の表示窓１２４から見ることにより、サージ保護装置１２が保護機能の発揮できない異常状態にあることを確認できる。
【００２１】
また、図１に示す回路において、電源線１１ｂに雷などのサージ電圧が侵入すると、このサージエネルギーは、サージ保護装置１２のサージ吸収素子１５ｂ、１５ｄまたは１５ｅのいずれかにより吸収される。これにより、分電盤１０に接続された電子または電気機器をサージ電圧から保護することができる。
ここで、サージ吸収素子１５ｂ、１５ｄまたは１５ｅに異常がなく正常に機能する場合は、これに対応する電流ヒューズ１６ａ〜１６ｃ及び温度ヒューズ１７ａ〜１７ｃは溶断されていないので、制御回路２０の各整流回路２０１，２０３，２０５から、これに対応するそれぞれのスイッチング素子２０２，２０４，２０６のベースにはバイアス電圧が供給され、これらスイッチング素子２０２，２０４，２０６はオン状態に保持される。このため、表示素子１９への通電は継続され、表示素子１９は点灯される。この状態を収納ケース１２１の表示窓１２４から見ることにより、サージ保護装置１２が保護機能の発揮できる正常状態にあることを確認できる。
【００２２】
また、上記電源線１１ｂへのサージ電圧の侵入時に動作するサージ吸収素子１５ｂ、１５ｄまたは１５ｅ、例えばサージ吸収素子１５ｂがそのエネルギー耐圧を越えるサージエネルギーを吸収すると、これを吸収したサージ吸収素子１５ｂは規定値以上の温度に上昇されるため、このサージ吸収素子１５ｂが短絡破壊され、高い熱を発生する。その結果、このサージ吸収素子１５ｂと接触状態にある温度ヒューズ１７ｂが溶断され、電源ライン１８ｂを開路する。これに伴い、整流回路２０１，２０３の出力がゼロになってスイッチング素子２０２，２０４がオフされるため、表示素子１９は消灯する。したがって、表示素子１９が消灯していることを収納ケース１２１の表示窓１２４から見ることにより、サージ保護装置１２が保護機能の発揮できない異常状態にあることを確認できる。
また、上記電源線１１ｂへのサージ電圧の侵入時に動作するサージ吸収素子１５ｂ、１５ｄまたは１５ｅ、例えばサージ吸収素子１５ｂの電極間に電流ヒューズ１６ｂの定格値以上の電流が流れると、電流ヒューズ１６ｂが溶断され、電源ライン１８ｂを開路する。これに伴い、整流回路２０１，２０３の出力がゼロになってスイッチング素子２０２，２０４がオフされるため、表示素子１９は消灯する。したがって、表示素子１９が消灯していることを収納ケース１２１の表示窓１２４から見ることにより、サージ保護装置１２が保護機能の発揮できない異常状態にあることを確認できる。
【００２３】
また、図１に示す回路において、電源線１１ｃに雷などのサージ電圧が侵入すると、このサージエネルギーは、サージ保護装置１２のサージ吸収素子１５ｃ、１５ｅまたは１５ｆのいずれかにより吸収される。これにより、分電盤１０に接続された電子または電気機器をサージ電圧から保護することができる。
ここで、サージ吸収素子１５ｃ、１５ｅまたは１５ｆに異常がなく正常に機能する場合は、これに対応する電流ヒューズ１６ａ〜１６ｃ及び温度ヒューズ１７ａ〜１７ｃは溶断されていないので、制御回路２０の各整流回路２０１，２０３，２０５から、これに対応するそれぞれのスイッチング素子２０２，２０４，２０６のベースにはバイアス電圧が供給され、これらスイッチング素子２０２，２０４，２０６はオン状態に保持される。このため、表示素子１９への通電は継続され、表示素子１９は点灯される。この状態を収納ケース１２１の表示窓１２４から見ることにより、サージ保護装置１２が保護機能の発揮できる正常状態にあることを確認できる。
【００２４】
また、上記電源線１１ｃへのサージ電圧の侵入時に動作するサージ吸収素子１５ｃ、１５ｅまたは１５ｆ、例えばサージ吸収素子１５ｃがそのエネルギー耐圧を越えるサージエネルギーを吸収すると、これを吸収したサージ吸収素子１５ｃは規定値以上の温度に上昇されるため、このサージ吸収素子１５ｃが短絡破壊され、高い熱を発生する。その結果、このサージ吸収素子１５ｂと接触状態にある温度ヒューズ１７ｃが溶断され、電源ライン１８ｃを開路する。これに伴い、整流回路２０３，２０５の出力がゼロになってスイッチング素子２０４，２０６がオフされるため、表示素子１９は消灯する。したがって、表示素子１９が消灯していることを収納ケース１２１の表示窓１２４から見ることにより、サージ保護装置１２が保護機能の発揮できない異常状態にあることを確認できる。
また、上記電源線１１ｃへのサージ電圧の侵入時に動作するサージ吸収素子１５ｃ、１５ｅまたは１５ｆ、例えばサージ吸収素子１５ｃの電極間に電流ヒューズ１６ｃの定格値以上の電流が流れると、電流ヒューズ１６ｃが溶断され、電源ライン１８ｃを開路する。これに伴い、整流回路２０３，２０５の出力がゼロになってスイッチング素子２０４，２０６がオフされるため、表示素子１９は消灯する。したがって、表示素子１９が消灯していることを収納ケース１２１の表示窓１２４から見ることにより、サージ保護装置１２が保護機能の発揮できない異常状態にあることを確認できる。
【００２５】
また、図１に示す回路において、アース線１１ｄに雷などのサージ電圧が侵入すると、このサージエネルギーは、サージ保護装置１２のサージ吸収素子１５ａ、１５ｂまたは１５ｃのいずれかにより吸収される。これにより、分電盤１０に接続された電子または電気機器をサージ電圧から保護することができる。
ここで、サージ吸収素子１５ａ、１５ｂまたは１５ｃに異常がなく正常に機能する場合は、これに対応する電流ヒューズ１６ａ〜１６ｃ及び温度ヒューズ１７ａ〜１７ｃは溶断されていないので、制御回路２０の各整流回路２０１，２０３，２０５から、これに対応するそれぞれのスイッチング素子２０２，２０４，２０６のベースにはバイアス電圧が供給され、これらスイッチング素子２０２，２０４，２０６はオン状態に保持される。このため、表示素子１９への通電は継続され、表示素子１９は点灯される。この状態を収納ケース１２１の表示窓１２４から見ることにより、サージ保護装置１２が保護機能の発揮できる正常状態にあることを確認できる。
【００２６】
また、上記アース線１１ｄへのサージ電圧の侵入時に動作するサージ吸収素子１５ａ、１５ｂまたは１５ｃ、例えばサージ吸収素子１５ｃがそのエネルギー耐圧を越えるサージエネルギーを吸収すると、これを吸収したサージ吸収素子１５ｃは規定値以上の温度に上昇されるため、このサージ吸収素子１５ｃが短絡破壊され高い熱を発生する。その結果、このサージ吸収素子１５ｂと接触状態にある温度ヒューズ１７ｃが溶断され、電源ライン１８ｃを開路する。これに伴い、整流回路２０３，２０５の出力がゼロになってスイッチング素子２０４，２０６がオフされるため、表示素子１９は消灯する。したがって、表示素子１９が消灯していることを収納ケース１２１の表示窓１２４から見ることにより、サージ保護装置１２が保護機能の発揮できない異常状態にあることを確認できる。
また、上記アース線１１ｄへのサージ電圧の侵入時に動作するサージ吸収素子１５ａ、１５ｂまたは１５ｃ、例えばサージ吸収素子１５ｃの電極間に電流ヒューズ１６ｃの定格値以上の電流が流れると、電流ヒューズ１６ｃが溶断され電源ライン１８ｃを開路する。これに伴い、整流回路２０３，２０５の出力がゼロになってスイッチング素子２０４，２０６がオフされるため、表示素子１９は消灯する。したがって、表示素子１９が消灯していることを収納ケース１２１の表示窓１２４から見ることにより、サージ保護装置１２が保護機能の発揮できない異常状態にあることを確認できる。
【００２７】
図１に示す回路において、電源線１１ａと１１ｂに雷などのサージ電圧が同時に侵入した場合、このサージエネルギーは、サージ保護装置１２のサージ吸収素子１５ａ，１５ｂ，１５ｅまたは１５ｆのいずれかにより吸収される。これにより、分電盤１０に接続された電子または電気機器をサージ電圧から保護できる。
ここで、サージ吸収素子１５ａ，１５ｂ，１５ｅまたは１５ｆに異常がなく正常に機能する場合は、これに対応する電流ヒューズ１６ａ〜１６ｃ及び温度ヒューズ１７ａ〜１７ｃは溶断されていないので、各整流回路２０１，２０３，２０５からの出力によって各スイッチング素子２０２，２０４，２０６はオン状態に保持される。このため、表示素子１９への通電は継続され、表示素子１９は点灯される。この状態を収納ケース１２１の表示窓１２４から見ることにより、サージ保護装置１２が保護機能の発揮できる正常状態にあることを確認できる。
【００２８】
また、上記電源線１１ａと１１ｂへのサージ電圧の侵入時に動作するサージ吸収素子１５ａ，１５ｂ，１５ｅまたは１５ｆがそのエネルギー耐圧を越えるサージエネルギーを吸収すると、これを吸収したサージ吸収素子は規定値以上の温度に上昇されるため、このサージ吸収素子が短絡破壊され、高い熱を発生する。その結果、高温状態にあるサージ吸収素子と接触する温度ヒューズ１７ａ〜１７ｃのいずれかが溶断され、電源ライン１８ａまたは１８ｂを開路する。これに伴い、整流回路２０１，２０３，２０５の出力がゼロになってスイッチング素子２０２，２０４，２０６がオフされるため、表示素子１９は消灯する。したがって、表示素子１９が消灯していることを収納ケース１２１の表示窓１２４から見ることにより、サージ保護装置１２が保護機能の発揮できない異常状態にあることを確認できる。
また、上記電源線１１ａと１１ｂへのサージ電圧の侵入時に動作するサージ吸収素子１５ａ，１５ｂ，１５ｅまたは１５ｆの電極間に電流ヒューズの定格値以上の電流が流れると、電流ヒューズ１６ａおよび１６ｂの一方または両方が溶断され、電源ライン１８ａまたは１８ｂを開路する。これに伴い、整流回路２０１，２０３，２０５の出力がゼロになってスイッチング素子２０２，２０４，２０６がオフされるため、表示素子１９は消灯する。したがって、表示素子１９が消灯していることを収納ケース１２１の表示窓１２４から見ることにより、サージ保護装置１２が保護機能の発揮できない異常状態にあることを確認できる。
【００２９】
また、図１に示す回路において、電源線１１ｂと１１ｃに雷などのサージ電圧が同時に侵入した場合、このサージエネルギーは、サージ保護装置１２のサージ吸収素子１５ｂ，１５ｃ，１５ｄまたは１５ｆのいずれかにより吸収される。これにより、分電盤１０に接続された電子または電気機器をサージ電圧から保護できる。
ここで、サージ吸収素子１５ｂ，１５ｃ，１５ｄまたは１５ｆに異常がなく正常に機能する場合は、これに対応する電流ヒューズ１６ａ〜１６ｃ及び温度ヒューズ１７ａ〜１７ｃは溶断されていないので、各整流回路２０１，２０３，２０５から出力によって各スイッチング素子２０２，２０４，２０６はオン状態に保持される。このため、表示素子１９への通電は継続され、表示素子１９は点灯される。この状態を収納ケース１２１の表示窓１２４から見ることにより、サージ保護装置１２が保護機能の発揮できる正常状態にあることを確認できる。
【００３０】
また、上記電源線１１ｂと１１ｃへのサージ電圧の侵入時に動作するサージ吸収素子１５ｂ，１５ｃ，１５ｄまたは１５ｆがそのエネルギー耐圧を越えるサージエネルギーを吸収すると、これを吸収したサージ吸収素子は規定値以上の温度に上昇されるため、このサージ吸収素子が短絡破壊され、高い熱を発生する。その結果、高温状態にあるサージ吸収素子と接触する温度ヒューズ１７ａ〜１７ｃのいずれかが溶断され、電源ライン１８ｂまたは１８ｃを開路する。これに伴い、整流回路２０１，２０３，２０５の出力がゼロになってスイッチング素子２０２，２０４，２０６がオフされるため、表示素子１９は消灯する。したがって、表示素子１９が消灯していることを収納ケース１２１の表示窓１２４から見ることにより、サージ保護装置１２が保護機能の発揮できない異常状態にあることを確認できる。
また、上記電源線１１ｂと１１ｃへのサージ電圧の侵入時に動作するサージ吸収素子１５ｂ，１５ｃ，１５ｄまたは１５ｆの電極間に電流ヒューズの定格値以上の電流が流れると、電流ヒューズ１６ｂおよび１６ｃの一方または両方が溶断され、電源ライン１８ｂまたは１８ｃを開路する。これに伴い、整流回路２０１，２０３，２０５の出力がゼロになってスイッチング素子２０２，２０４，２０６がオフされるため、表示素子１９は消灯する。したがって、表示素子１９が消灯していることを収納ケース１２１の表示窓１２４から見ることにより、サージ保護装置１２が保護機能の発揮できない異常状態にあることを確認できる。
【００３１】
また、図１に示す回路において、電源線１１ａと１１ｃに雷などのサージ電圧が同時に侵入した場合、このサージエネルギーは、サージ保護装置１２のサージ吸収素子１５ａ，１５ｂ，１５ｃまたは１５ｄのいずれかにより吸収される。これにより、分電盤１０に接続された電子または電気機器をサージ電圧から保護できる。
ここで、サージ吸収素子１５ａ，１５ｂ，１５ｃまたは１５ｄに異常がなく正常に機能する場合は、これに対応する電流ヒューズ１６ａ〜１６ｃ及び温度ヒューズ１７ａ〜１７ｃは溶断されていないので、各整流回路２０１，２０３，２０５から出力によって各スイッチング素子２０２，２０４，２０６はオン状態に保持される。このため、表示素子１９への通電は継続され、表示素子１９は点灯される。この状態を収納ケース１２１の表示窓１２４から見ることにより、サージ保護装置１２が保護機能の発揮できる正常状態にあることを確認できる。
【００３２】
また、上記電源線１１ａと１１ｃへのサージ電圧の侵入時に動作するサージ吸収素子１５ａ，１５ｂ，１５ｃまたは１５ｄがそのエネルギー耐圧を越えるサージエネルギーを吸収すると、これを吸収したサージ吸収素子は規定値以上の温度に上昇されるため、このサージ吸収素子が短絡破壊され、高い熱を発生する。その結果、高温状態にあるサージ吸収素子と接触する温度ヒューズ１７ａ〜１７ｃのいずれかが溶断され、電源ライン１８ａまたは１８ｃを開路する。これに伴い、整流回路２０１，２０３，２０５の出力がゼロになってスイッチング素子２０２，２０４，２０６がオフされるため、表示素子１９は消灯する。したがって、表示素子１９が消灯していることを収納ケース１２１の表示窓１２４から見ることにより、サージ保護装置１２が保護機能の発揮できない異常状態にあることを確認できる。
また、上記電源線１１ａと１１ｃへのサージ電圧の侵入時に動作するサージ吸収素子１５ａ，１５ｂ，１５ｃまたは１５ｄの電極間に電流ヒューズの定格値以上の電流が流れると、電流ヒューズ１６ａおよび１６ｃの一方または両方が溶断され、電源ライン１８ａまたは１８ｃを開路する。これに伴い、整流回路２０１，２０３，２０５の出力がゼロになってスイッチング素子２０２，２０４，２０６がオフされるため、表示素子１９は消灯する。したがって、表示素子１９が消灯していることを収納ケース１２１の表示窓１２４から見ることにより、サージ保護装置１２が保護機能の発揮できない異常状態にあることを確認できる。
【００３３】
また、図１に示す回路において、電源線１１ａ，１１ｂ及び１１ｃに雷などのサージ電圧が同時に侵入した場合、このサージエネルギーは、サージ保護装置１２のサージ吸収素子１５ａ，１５ｂまたは１５ｃにより吸収される。これにより、分電盤１０に接続された電子または電気機器をサージ電圧から保護できる。
ここで、サージ吸収素子１５ａ，１５ｂまたは１５ｃに異常がなく正常に機能する場合は、これに対応する電流ヒューズ１６ａ〜１６ｃ及び温度ヒューズ１７ａ〜１７ｃは溶断されていないので、各整流回路２０１，２０３，２０５から出力によって各スイッチング素子２０２，２０４，２０６はオン状態に保持される。このため、表示素子１９への通電は継続され、表示素子１９は点灯される。この状態を収納ケース１２１の表示窓１２４から見ることにより、サージ保護装置１２が保護機能の発揮できる正常状態にあることを確認できる。
【００３４】
また、上記電源線１１ａ，１１ｂおよび１１ｃへのサージ電圧の侵入時に動作するサージ吸収素子１５ａ，１５ｂまたは１５ｃがそのエネルギー耐圧を越えるサージエネルギーを吸収すると、これを吸収したサージ吸収素子は規定値以上の温度に上昇されるため、このサージ吸収素子が短絡破壊され、高い熱を発生する。その結果、高温状態にあるサージ吸収素子と接触する温度ヒューズ１７ａ〜１７ｃが溶断され、電源ライン１８ａ〜１８ｃを開路する。これに伴い、整流回路２０１，２０３，２０５の出力がゼロになってスイッチング素子２０２，２０４，２０６がオフされるため、表示素子１９は消灯する。したがって、表示素子１９が消灯していることを収納ケース１２１の表示窓１２４から見ることで、サージ保護装置１２が保護機能の発揮できない異常状態にあることを確認できる。
また、上記電源線１１ａ，１１ｂ及び１１ｃへのサージ電圧の侵入時に動作するサージ吸収素子１５ａ，１５ｂまたは１５ｃの電極間に電流ヒューズの定格値以上の電流が流れると、電流ヒューズ１６ａ〜１６ｃが溶断され、電源ライン１８ａ〜１８ｃを開路する。これに伴い、整流回路２０１，２０３，２０５の出力がゼロになってスイッチング素子２０２，２０４，２０６がオフされるため、表示素子１９は消灯する。したがって、表示素子１９が消灯していることを収納ケース１２１の表示窓１２４から見ることで、サージ保護装置１２が保護機能の発揮できない異常状態にあることを確認できる。
【００３５】
このように本実施例によれば、単一の表示素子１９でサージ保護装置の雷などのサージに対する保護機能の有無を容易に判別できるようにするとともに、サージ保護装置の正常及び異常の有無を外部から容易に判断することができる。
【００３６】
なお、分電盤や配電盤または制御盤に漏電ブレーカや配線用遮断器を使用している場合は、サージ吸収素子１５ａ〜１５ｆ、電流ヒューズ１６ａ〜１６ｃまたは温度ヒューズ１７ａ〜１７ｃが動作する前に漏電ブレーカまたは配線用遮断器がブレークダウンすることにより保護機能を発揮させ得る。この場合、サージ保護装置１２の表示素子１９は消灯することになる。
【実施例２】
【００３７】
次に、図４により本考案にかかるサージ保護装置の他の実施例について説明する。
この図４において、図３と同一の構成要素には同一符号を付してその説明を省略し、図３と異なる部分を重点に述べる。
この実施例において図３と異なる点は、分電盤１０の箱体１０１内に設置されたサージ保護装置１２の表示素子１９を配線基板１２２から分離し、この表示素子１９を所望長さのリード線２２によってスイッチング素子２０２，２０４および２０６の直列回路に接続し、この表示素子１９を分電盤１０の箱体１０１に設けた表示窓１０２に箱体１０１の内側から臨ませて配置したところにある。なお、サージ保護装置１２の回路構成は図１に示すものと同一である。
【００３８】
このような実施例に示すサージ保護装置においては、上記図１〜図３に示す場合と同様な作用効果が得られるほか、表示素子１９を所望長さのリード線２２によって配線基板１２２から引き出した構成にしたので、表示素子１９の設置場所の自由度が向上する。
【実施例３】
【００３９】
次に、図５により本考案にかかるサージ保護装置の他の実施例について説明する。
この図５において、図１と同一の構成要素には同一符号を付してその説明を省略し、図１と異なる部分を重点に述べる。
この図５において図１と異なる点は、サージ吸収素子１５ａ〜１５ｆと電流ヒューズ１６ａ〜１６ｃ及び温度ヒューズ１７ａ〜１７ｃが溶断されることなく正常に動作していることを表示する第１表示素子２４と、サージ吸収素子１５ａ〜１５ｆの何れかが短絡破壊されることに伴う温度ヒューズ１７ａ〜１７ｃの溶断及び定格以上の電流がサージ吸収素子１５ａ〜１５ｆの何れかに流れることに伴う電流ヒューズ１６ａ〜１６ｃの溶断時にこれらを異常として表示する第２表示素子２５とを備え、この第１及び第２表示素子２４及び２５を制御回路２０により別々に点灯及び消灯制御できるようにしたところにある。
前記第１及び第２表示素子２４，２５は、別々の電流制限抵抗２６，２７を介して前記接続端子１４ａと１４ｃとの間に並列に接続されている。また、第１及び第２表示素子２４，２５は発光ダイオードやネオン管等からなり、この第１及び第２表示素子２４，２５は互いに異なる表示色、例えば、第１表示素子２４を緑色に、第２表示素子２５を赤色に点灯できるように構成されている。
【００４０】
第１及び第２表示素子２４及び２５を別々に点灯及び消灯制御するために制御回路２０は、図１に示す場合と同様に整流回路２０１，２０３，２０５からの出力によって別々にオン動作されるスイッチング素子２０２，２０４，２０６と、この直列回路に直列に接続された表示素子切替手段２６１を備え、この表示素子切替手段２６１は、例えばリレーから構成されている。
表示素子切替手段、すなわちリレー２６１の励磁コイル２６１ｃはスイッチング素子２０２〜２０６の直列回路に電流制限抵抗Ｒ７を介して直列に接続され、そして、リレー２６１の付勢時に閉成するメーク接点２６１ａは第１表示素子２４の回路に直列に接続され、リレー２６１の消勢時に閉成するブレーク接点２６１ｂは第２表示素子２５の回路に直列に接続されている。
【００４１】
次に、上記のように構成された本実施例の動作について説明する。
図５に示す回路において、電源線またはアース線に雷などのサージ電圧が侵入すると、このサージ電圧は、サージ保護装置１２を構成するサージ吸収素子１５ａ〜１５ｆにより吸収される。このため、分電盤１０に接続された電子または電気機器をサージ電圧から保護することができる。
ここで、サージ保護装置１２のサージ吸収素子１５ａ〜１５ｆに異常がなく正常に機能する場合は、これに対応する電流ヒューズ１６ａ〜１６ｃ及び温度ヒューズ１７ａ〜１７ｃは溶断されていないので、制御回路２０のリレー２６１は付勢状態に保持されている。これにより、リレー２６１のメーク接点２６１ａは閉成状態に保持され、かつブレーク接点２６１ｂは開成状態に保持される。この結果、第１表示素子２４は青色に点灯され、第２表示素子２５は消灯されている。このため、この状態を収納ケース１２１の表示窓１２４から見ることにより、サージ保護装置１２は保護機能の発揮し得る正常状態にあることを確認できる。
【００４２】
また、電源線またはアース線に侵入したサージ電圧がサージ保護装置１２の定格を上回と、このサージ電圧が侵入した電路のサージ吸収素子１５ａ〜１５ｆのいずれかが短絡破壊されされる。これに伴い、この短絡破壊したサージ吸収素子が発生する高い熱により、該サージ吸収素子と接触状態にある温度ヒューズ１７ａ〜１７ｃのいずれかが溶断される。これにより、制御回路２０を構成するリレー２６１への電力供給が遮断されるため、このリレー２６１は消勢され、そのブレーク接点２６１ｂは閉成され、かつメーク接点２６１ａは開成される。その結果、第１表示素子２４が消灯され、第２表示素子２５が点灯されるため、この状態を収納ケース１２１の表示窓１２４から見ることにより、サージ保護装置１２は保護機能を発揮できない異常状態にあることを確認できる。
また、電源線またはアース線に侵入したサージ電圧により、電流ヒューズの定格値以上の電流がサージ吸収素子１５ａ〜１５ｆのいずれかに流れると、これに対応する電流ヒューズ１６ａ〜１６ｃのいずれかが溶断される。これにより、制御回路２０を構成するリレー２６１への電力供給が遮断されるため、このリレー２６１は消勢され、そのブレーク接点２６１ｂは閉成され、かつメーク接点２６１ａは開成される。その結果、第１表示素子２４が消灯され、第２表示素子２５が点灯されるため、この状態を収納ケース１２１の表示窓１２４から見ることにより、サージ保護装置１２は保護機能を発揮できない異常状態にあることを確認できる。
【００４３】
このような本実施例によれば、サージ保護装置１２の正常及び異常の表示に点灯色の異なる第１表示素子２４及び第２表示素子２５を利用し、サージ吸収素子１５ａ〜１５ｆと電流ヒューズ１６ａ〜１６ｃ及び温度ヒューズ１７ａ〜１７ｃが溶断されることなく正常に動作している時に制御回路２０で第１表示素子２４を点灯制御して、サージ保護装置１２が正常に機能していることを表示し、また、サージ吸収素子１５ａ〜１５ｆの何れかが短絡破壊されることに伴う温度ヒューズ１７ａ〜１７ｃの溶断及び定格以上の電流がサージ吸収素子１５ａ〜１５ｆの何れかに流れることに伴う電流ヒューズ１６ａ〜１６ｃの溶断時は制御回路２０で第２表示素子２５を点灯制御して、サージ保護装置１２が異常であることを異なる点灯色で表示する構成にしたので、サージ保護装置１２の雷などのサージに対する保護機能の有無及びサージ吸収素子の短絡破壊などによる故障の有無を目視により容易に判別することができる。
【００４４】
なお、上記実施例では、三相四線式配電路に本考案のサージ保護装置を適用した場合について説明したが、本考案はこれに限定されず、単相二線式配電路及び三相三線式配電路等の他の配電路方式にも適用できる。
また、上記実施例では、本考案のサージ保護装置を分電盤に適用した場合について説明したが、本考案はこれに限らず、配電盤や制御盤にも適用することができる。
また、本考案における制御回路２０は、上記図１に示す構成のものに限定されず、トランジスタ等の半導体素子を利用して構成することも可能である。
【図面の簡単な説明】
【００４５】
【図１】本考案にかかるサージ保護装置を三相四線式の配線路に適用した場合の一例を示す回路図である。
【図２】本考案にかかるサージ保護装置の一部を分解して示す斜視図である。
【図３】本考案にかかるサージ保護装置を分電盤の外面に装着した場合の一例を示す斜視図である。
【図４】本考案にかかるサージ保護装置を分電盤の内部に装着した場合の他の例を示す斜視図である。
【図５】本考案にかかるサージ保護装置の他の実施例を示す一部の回路図である。
【符号の説明】
【００４６】
１０        分電盤
１０１      箱体
１０２      表示窓
１１ａ〜１１ｃ      電源線
１１ｄ      アース線
１２        サージ保護装置
１２１      収納ケース
１２２      配線基板
１２４      表示窓
１３        四芯ケーブル
１４ａ〜１４ｃ    電源線接続端子
１４ｄ      アース端子
１５ａ〜１５ｆ    サージ吸収素子
１６ａ〜１６ｃ    電流ヒューズ
１７ａ〜１７ｃ    温度ヒューズ
１８ａ〜１８ｃ    電源ライン
１９        表示素子
２０        制御回路
２０１，２０３，２０５      整流回路
２０２，２０４，２０６      スイッチング素子
２４        第１表示素子
２５        第２表示素子
２６１      表示素子切替手段（リレー）
２６１ａ    メーク接点
２１１ｂ    ブレーク接点
【図１】
0003102126.tif 000003
【図２】
0003102126.tif 000004
【図３】
0003102126.tif 000005
【図４】
0003102126.tif 000006
【図５】
0003102126.tif 000007